(57)【要約】【課題】チケット権の譲渡や代表者による一括購入を可能にする通信装置、二次元バーコード、ワンタイムパスワードを利用した情報通信システム等を提供すること。【解決手段】サーバが電子チケット、電子クーポンを通信装置に対して発行、表示させる情報通信システムが、ユーザのワンタイムパスワードを生成し、譲渡されるユーザ毎に配布用ＩＤ・パスワードを送り、該チケットとともに二次元バーコードにより該通信装置に表示させる。【選択図】図２
2009123013.tif 000002
【特許請求の範囲】
【請求項１】
サーバが電子チケット、電子クーポンを通信装置に対して発行、表示させる情報通信システムにおいて、
ユーザのワンタイムパスワードを生成し、譲渡されるユーザ毎に配布用ＩＤ・パスワードを送り、該チケットとともに二次元バーコードにより該通信装置に表示させることを特徴とする情報通信システム。
【請求項２】
サーバが電子チケット、電子クーポンを通信装置に対して発行、表示させる情報通信システムにおける通信装置であって、
サーバによりユーザのワンタイムパスワードが生成され、譲渡されるユーザ毎に配布用ＩＤ・パスワードが送られ、該チケットとともに二次元バーコードにより表示させることを特徴とする通信装置。
【請求項３】
サーバが電子チケット、電子クーポンを通信装置に対して発行、表示させる情報通信システムにおいて用いられる二次元バーコードであって、
サーバがユーザのワンタイムパスワードを生成し、譲渡されるユーザ毎に配布用ＩＤ・パスワードを送り、該チケットととも該通信装置に表示させることを特徴とする二次元バーコード。
【請求項４】
サーバが電子チケット、電子クーポンを通信装置に対して発行、表示させる情報通信システムにおいて用いられるワンタイムパスワードを利用した電子チケットであって、
サーバがユーザのワンタイムパスワードを生成し、譲渡されるユーザ毎に配布用ＩＤ・パスワードを送り、自チケットとともに二次元バーコードにより該通信装置に表示させることを特徴とするワンタイムパスワードを利用した電子チケット。
【請求項５】
サーバが電子チケット、電子クーポンを通信装置に対して発行、表示させる情報通信システムにおける電子クーポン発行管理方法であって、
ユーザのワンタイムパスワードを生成し、譲渡されるユーザ毎に配布用ＩＤ・パスワードを送り、該チケットとともに二次元バーコードにより該通信装置に表示させることを特徴とする電子クーポン発行管理方法。
【請求項６】
サーバが電子チケット、電子クーポンを通信装置に対して発行、表示させる情報通信システムに、
ユーザのワンタイムパスワードを生成し、譲渡されるユーザ毎に配布用ＩＤ・パスワードを送り、該チケットとともに二次元バーコードにより該通信装置に表示させる処理を実行させることを特徴とするプログラム。
【発明の詳細な説明】
【技術分野】
【０００１】
本発明は、携帯電話機等の通信装置上に電子チケット、電子クーポンを表示させる際に、チケットやクーポンの内容の他にワンタイムパスワードを付与し、これら情報を二次元バーコードで表示させ、利用者認証や利用者固有情報の認証を行う技術に関する。
【背景技術】
【０００２】
関連技術で、おサイフ携帯と呼ばれるFelica  ＩＣカードを内蔵した携帯電話機を利用し、電子チケットや電子クーポンを携帯電話機に表示させるサービスがあるが、いまだ、おサイフ携帯自体が一般の携帯電話機に比べて高価格であるため普及率が低いという難点がある。
【０００３】
電子チケットやクーポンを携帯電話機に単に表示させ、それを目視確認する方法もあるが、セキュリティ上信頼性が低く、クーポンやチケットの偽造の恐れも高い。
【０００４】
ここで、携帯型端末によりネットワークを介して所定の電子チケットを予約登録し、代金決済を行うと共に、仮チケットを電子的に受取り記憶させ、電子チケットを使用する前に、仮チケットに基づいて本チケットを電子的に受取り、電子的取扱いにセキュリティ手段を介装させ、携帯型端末画面に表示された本チケットを入場券として用いる技術が提案されている（例えば、特許文献１参照）。
【特許文献１】特開２００３−１２２８７６号公報
【発明の開示】
【発明が解決しようとする課題】
【０００５】
しかしながら、上述の関連技術では、電子チケットを代表者が一括購入した場合に、電子チケットを配布できないシステムの場合では、購入者全員が一度に入場しなければならない。
【０００６】
また、電子チケットを一括購入して配布できるシステムの場合でも、配布先の携帯電話機がすべてサービス企業に事前登録済みでないとサービスを受けられず紙のチケットやクーポンのように譲渡ができない、など不便である。
【０００７】
本発明は、以上のような課題を解決するためになされたもので、チケット権の譲渡や代表者による一括購入を可能にする情報通信システム、通信装置、二次元バーコード、ワンタイムパスワードを利用した電子チケット、電子クーポン発行管理方法およびプログラムを提供することを目的とする。
【課題を解決するための手段】
【０００８】
本発明の情報通信システムは、サーバが電子チケット、電子クーポンを通信装置に対して発行、表示させる情報通信システムにおいて、
ユーザのワンタイムパスワードを生成し、譲渡されるユーザ毎に配布用ＩＤ・パスワードを送り、該チケットとともに二次元バーコードにより該通信装置に表示させることを特徴とする。
【０００９】
また、本発明の通信装置は、サーバが電子チケット、電子クーポンを通信装置に対して発行、表示させる情報通信システムにおける通信装置であって、
サーバによりユーザのワンタイムパスワードが生成され、譲渡されるユーザ毎に配布用ＩＤ・パスワードが送られ、該チケットとともに二次元バーコードにより表示させることを特徴とする。
【００１０】
また、本発明の二次元バーコードは、サーバが電子チケット、電子クーポンを通信装置に対して発行、表示させる情報通信システムにおいて用いられる二次元バーコードであって、
サーバがユーザのワンタイムパスワードを生成し、譲渡されるユーザ毎に配布用ＩＤ・パスワードを送り、該チケットととも該通信装置に表示させることを特徴とする。
【００１１】
また、本発明のワンタイムパスワードを利用した電子チケットは、サーバが電子チケット、電子クーポンを通信装置に対して発行、表示させる情報通信システムにおいて用いられるワンタイムパスワードを利用した電子チケットであって、
サーバがユーザのワンタイムパスワードを生成し、譲渡されるユーザ毎に配布用ＩＤ・パスワードを送り、自チケットとともに二次元バーコードにより該通信装置に表示させることを特徴とする。
【００１２】
また、本発明の電子クーポン発行管理方法は、サーバが電子チケット、電子クーポンを通信装置に対して発行、表示させる情報通信システムにおける電子クーポン発行管理方法であって、
ユーザのワンタイムパスワードを生成し、譲渡されるユーザ毎に配布用ＩＤ・パスワードを送り、該チケットとともに二次元バーコードにより該通信装置に表示させることを特徴とする。
【００１３】
また、本発明のプログラムは、サーバが電子チケット、電子クーポンを通信装置に対して発行、表示させる情報通信システムに、
ユーザのワンタイムパスワードを生成し、譲渡されるユーザ毎に配布用ＩＤ・パスワードを送り、該チケットとともに二次元バーコードにより該通信装置に表示させる処理を実行させることを特徴とする。
【発明の効果】
【００１４】
本発明によれば、チケット権の譲渡や代表者による一括購入ができる。
【発明を実施するための最良の形態】
【００１５】
以下、本発明の実施の形態について図面を参照して詳細に説明する。図１を参照すると本実施の形態におけるシステムでは、通信装置である携帯電話機１０とサーバ２０がネットワークを介して接続されている。
【００１６】
本発明の実施の形態の動作について図面を参照して詳細に説明する。図２を参照すると、まず、電子チケット、電子クーポンの購入者は会員登録する（Ｓ２０１）。
【００１７】
次に、電子チケット、電子クーポン購入処理を行う（Ｓ２０２）。
【００１８】
電子チケット、電子クーポンは、サービス企業が購入者の携帯電話機に電子メールで配布する（Ｓ２０３）。
【００１９】
配布時は、電子メール中に暗号化通信（https）のＵＲＬアドレス（Ａ）を挿入する。
【００２０】
ＵＲＬアドレス（Ａ）を購入者がクリックすると、会員用の電子チケットが表示できる（Ｓ２０４）。
【００２１】
電子チケット、電子クーポンには、購入者名や有効期間、利用条件などの認証情報を二次元バーコード表示する。また、二次元バーコード内情報として、上記の情報のほかに、あらかじめ指定された時間内（たとえば１時間）しか有効でないワンタイムパスワードを入れる。これはチケット偽造の防止の目的である。
【００２２】
なお、チケットの譲渡・一括購入者から受け渡しを確実に行うことができる構成として、例えば、実施例１として譲渡される人毎に配布用ＩＤ・パスワードを送る手法がある。また、実施例２として配布用ＩＤ・パスワードを送るのが煩雑な場合には表示用ＵＲＬだ
け送り、サーバ側で認証する手法がある。
【００２３】
補充例１として実施例２でサーバ側での認証が不要な構成等（購入を依頼する際にパスワードを一括購入者に伝え、それを元に、その購入者向けのコードを生成する等）としてもよい。
【００２４】
また、譲渡されたチケットが偽造不可能とする構成として、例えば、実施例１として譲渡された者が読み出したタイミングで時間制限付きのワンタイムパスワード付き二次元コードを生成する手法がある。さらに前記の補充例１に対応した構成としてもよい。
【００２５】
上記の本実施の形態によれば以下の効果がある。
【００２６】
第１の効果は、利用者が、おサイフ携帯やFelicaのようなＩＣカードサービスに加入していなくとも利用できる点である。
【００２７】
その理由は通常の携帯電話機とメール、携帯電話機ブラウザが使える環境であれば利用できるからである。特別のアプリケーションを利用者の携帯電話機にインストールせずとも利用できる。
【００２８】
第２の効果は、安価なシステム構築環境であり、既存環境を利用できる点である。サービサー企業の側では、電子チケット情報と利用者情報にワンタイムパスワード情報を付加して、利用者の携帯電話機にＵＲＬを送信するシステム開発を行えば良い。
【００２９】
店舗や会場では、携帯電話機に表示された二次元バーコードを読みとり、ホストコンピュータと通信し、ワンタイムパスワードやチケット内情報によってチケットの有効性を確認する。
【００３０】
ＩＣカードを利用したシステムのように、利用者へＩＣカードを配布したり、店舗にＩＣカード専用のさまざまなリーダライタを準備する必要がなくなる。店舗側では一般的に広まった装置として二次元バーコードリーダライタがあれば良い。
【００３１】
既存に存在するＰＯＳシステムに追加開発すれば、本システムを安価に開発することができる。
【００３２】
利用者は、特別なおサイフ携帯を購入する必要もなければ、新規のＩＣカードを持つ必要もない。通常の携帯電話機があれば良いシンプルな仕組みである。
【００３３】
第３の効果は、電子チケットやクーポンの安全性が高まる点である。
【００３４】
その理由は、ワンタイムパスワードを使用して、ホストサーバ側で随時認証情報が変更されるためである。これによって、二次元バーコードを何らかの手段で複写しチケットを偽造しようとしても、使用する段階では、別のパスワードに変更されている。
【００３５】
携帯電話機自体を紛失した場合にも、サービサー企業に連絡すれば購入者情報により、電子チケット自体を無効にすることができる。また、盗難され使用された際には、電子チケット、電子クーポン使用時に店舗側で使用者をチェックすることもできる。
【００３６】
第４の効果は、二次元バーコードリーダは認識率が高く、格納できる情報量も多いので集客人数の多いイベント会場や小売店ですばやく正確に認証できるという点である。
【００３７】
その理由は、二次元バーコードは、現在の技術で数ｃｍ〜１０ｃｍ離れたところからでも認識でき、また、内部に格納できる情報量も漢字で１８００文字程度と多いので、格納情報を重複登録しておけば、誤謬率もさらに削減できる。
【００３８】
また、利用者ごとにサービスできる内容（たとえば個別に渡す景品情報など）まで記載できる長所もある。
【００３９】
第５の効果は、ＣＲＭ情報に利用できる点である。
【００４０】
その理由は、携帯電話機を利用して入場するので、利用者がどこでこのサービスを利用したか知ることができる点である。
【００４１】
第６の効果は、企業が発行するポイント情報などと連携したシステムを作りやすい点である。
【００４２】
その理由は、ホスト側で利用者情報や購入情報を管理できるので、ポイントもホストで管理する方式となる。付帯効果としては、店舗で利用者が携帯や会員証を忘れた場合の買い物の際でも、利用者の携帯の電話番号を確認することによって、購入ポイントを利用者に付与でき、利用者へのサービス向上に役立てられる点である。
【００４３】
なお、上述する各実施の形態は、本発明の好適な実施の形態であり、本発明の要旨を逸脱しない範囲内において種々変更実施が可能である。例えば、携帯電話機、サーバの機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００４４】
【図１】本発明の実施の形態に係るシステム構成示す図である。
【図２】本発明の実施の形態に係る処理動作のフローチャートである。
【符号の説明】
【００４５】
１０    携帯電話機
２０    サーバ
【図１】
2009123013.tif 000003
【図２】
2009123013.tif 000004